(57)【特許請求の範囲】
【請求項１】
フレキシブルな挿入部内に第１の処置具挿通チャンネルを挿通配置して、上記第１の処置具挿通チャンネルの出口開口である第１の処置具突出口を上記挿入部の先端付近に配置すると共に、
上記挿入部に対して被脱自在であって上記挿入部を弾力的に締め付けた状態に上記挿入部の外周面に被覆されるフレキシブルな筒状アダプタに第２の処置具挿通チャンネルを形成して、上記第２の処置具挿通チャンネルの出口開口である第２の処置具突出口を上記筒状アダプタの先端付近に配置し、
上記筒状アダプタを上記挿入部に対して周方向に向きを変えて取り付け可能に構成することにより、上記第１と第２の処置具突出口の位置関係を調整できるようにしたことを特徴とする二チャンネル内視鏡。
【請求項２】
上記挿入部が、遠隔操作によって屈曲する湾曲部を挿入部可撓管の先端に連結した構成になっていて、上記筒状アダプタが、上記湾曲部と干渉しないように上記挿入部可撓管部分に被覆される請求項１記載の二チャンネル内視鏡。
【発明の詳細な説明】
【０００１】
【発明の属する技術分野】
この発明は、複数の処置具挿通チャンネルが設けられた二チャンネル内視鏡に関する。
【０００２】
【従来の技術】
二チャンネル内視鏡は一般に、挿入部内に二本の処置具挿通路が配置され、挿入部の先端に設けられた先端部本体に二つの処置具突出口が配置された構成になっている。
【０００３】
【発明が解決しようとする課題】
図６は、従来の二チャンネル内視鏡の二つの処置具突出口１１ａ，１２ａから各々処置具１０１，１０２を突出させて内視鏡的処置を行っている状態を示している。３は先端部本体、４は観察窓である。
【０００４】
このような二チャンネル内視鏡による内視鏡的処置においては、二つの処置具１０１，１０２の位置関係がその症例における処置の種類や病変部位等に適合している必要があり、適合していない場合には円滑に処置を行うことができない場合がある。
【０００５】
そこで本発明は、症例毎に二つの処置具の位置関係を最適な状態にセットして内視鏡的処置を常に容易かつ安全に行うことができる二チャンネル内視鏡を提供することを目的とする。
【０００６】
【課題を解決するための手段】
上記の目的を達成するため、本発明の二チャンネル内視鏡は、フレキシブルな挿入部内に第１の処置具挿通チャンネルを挿通配置して、第１の処置具挿通チャンネルの出口開口である第１の処置具突出口を挿入部の先端付近に配置すると共に、挿入部に対して被脱自在なフレキシブルな筒状アダプタに第２の処置具挿通チャンネルを形成して、第２の処置具挿通チャンネルの出口開口である第２の処置具突出口を筒状アダプタの先端付近に配置し、筒状アダプタを挿入部に対して周方向に向きを変えて取り付け可能に構成することにより、第１と第２の処置具突出口の位置関係を調整できるようにしたものである。
【０００７】
なお、挿入部が、遠隔操作によって屈曲する湾曲部を挿入部可撓管の先端に連結した構成になっていて、筒状アダプタが、湾曲部と干渉しないように挿入部可撓管部分に被覆されるようにすることにより、湾曲部の動作が妨げられないだけでなく、第１と第２の処置具突出口から突出される処置具の位置関係をより大きく調整することができる。
【０００８】
【発明の実施の形態】
図面を参照して本発明の実施例を説明する。
図２は二チャンネル内視鏡の全体構成を示し、図１は、挿入部可撓管１に対して着脱自在に被嵌される筒状アダプタ１０が取り外された状態を示している。
【０００９】
図１に示されるように、フレキシブルな挿入部可撓管１の先端部分には、挿入部可撓管１の基端に連結された操作部６からの遠隔操作によって屈曲する湾曲部２が設けられている。
【００１０】
湾曲部２の先端には、観察窓等が配置された先端部本体３が連結されていて、挿入部可撓管１、湾曲部２及び先端部本体３によって挿入部が構成されている。７は湾曲操作を行うための操作ノブである。
【００１１】
そして、例えば四フッ化エチレン樹脂チューブからなる第１の処置具挿通チャンネル１１が、挿入部可撓管１内から湾曲部２内にわたって挿通配置されていて、第１の処置具挿通チャンネル１１の出口開口である第１の処置具突出口１１ａが先端部本体３に形成され、第１の処置具挿入口１１ｂは操作部６の下端部付近に配置されている。
【００１２】
筒状アダプタ１０は、III−III断面を図示する図３にも示されるように、弾力性のある例えばシリコンゴム等によって筒状に形成されており、弾力的に押し広げられて挿入部可撓管１の外周面に被覆される環状部１０ａに沿って、軸線方向に真っ直ぐに第２の処置具挿通チャンネル１２が一体に形成されている。なお、第２の処置具挿通チャンネル１２部分に滑りのよい四フッ化エチレン樹脂チューブ等を内挿した構成をとってもよい。
【００１３】
図１に示されるように、筒状アダプタ１０の基端部分には、第１の処置具挿通チャンネル１１と操作部６との連結部付近に被さる形状に挿入口金１０ｂが形成されていて、その挿入口金１０ｂに第２の処置具挿入口１２ｂが配置されている。
【００１４】
図２に示されるように、筒状アダプタ１０は、挿入部可撓管１のほぼ全長にわたって被覆されて挿入部可撓管１を弾力的に軽く締め付ける寸法形状に形成されており、湾曲部２の湾曲動作を妨げないように、湾曲部２とは干渉しない長さに設定されている。
【００１５】
このように構成された筒状アダプタ１０は、挿入部可撓管１に対する取り付け時に、矢印Ａで示されるように軸線周りに回転させることにより、挿入部可撓管１に対して周方向に任意の向きに取り付けることができる。
【００１６】
図４は、挿入部可撓管１に筒状アダプタ１０が取り付けられた状態の挿入部の正面図であり、第１の処置具突出口１１ａが、観察窓４及び照明窓５と並んで先端部本体３の先端面に配置されている。
【００１７】
第２の処置具突出口１２ａはそれより後方の湾曲部２の後端近傍に位置しているが、筒状アダプタ１０を挿入部可撓管１に対する取り付け時に軸線周りに回転させることにより、第１の処置具突出口１１ａに対する第２の処置具突出口１２ａの位置関係を任意に設定することができる。
【００１８】
図５は本実施例の二チャンネル内視鏡の使用状態を示しており、その症例における処置の種類や病変部位等に合わせて、第１の処置具突出口１１ａに対する第２の処置具突出口１２ａの位置をセットすることにより、第１の処置具突出口１１ａから突出される第１の処置具１０１と、第２の処置具突出口１２ａから突出される第２の処置具１０２との位置関係を、その症例の処置操作にとって最適な状態にすることができる。
【００１９】
また、処置具を一つだけ使用すればよい場合には、筒状アダプタ１０を取り付けずに使用することにより、患者に与える苦痛を減少させることができる。
【００２０】
【発明の効果】
本発明によれば、第２の処置具挿通チャンネルが形成された筒状アダプタを挿入部に対して周方向に向きを変えて取り付け可能に構成したことにより、第１と第２の処置具突出口の位置関係を任意に調整することができるので、症例毎に二つの処置具の位置関係を最適な状態にセットして内視鏡的処置を常に容易かつ安全に行うことができる。
【図面の簡単な説明】
【図１】本発明の実施例の二チャンネル内視鏡の筒状アダプタが挿入部から取り外された状態の全体構成を示す側面図である。
【図２】本発明の実施例の二チャンネル内視鏡の筒状アダプタが挿入部に取り付けられた状態の全体構成を示す側面図である。
【図３】本発明の実施例の二チャンネル内視鏡の図１におけるIII−III断面図である。
【図４】本発明の実施例の二チャンネル内視鏡の筒状アダプタが挿入部に取り付けられた状態の挿入部の正面図である。
【図５】本発明の実施例の二チャンネル内視鏡の使用状態を示す斜視図である。
【図６】従来の二チャンネル内視鏡の使用状態を示す斜視図である。
【符号の説明】
１  挿入部可撓管（挿入部）
２  湾曲部（挿入部）
３  先端部本体（挿入部）
６  操作部
１０  筒状アダプタ
１０ａ  環状部
１１  第１の処置具挿通チャンネル
１１ａ  第１の処置具突出口
１１ｂ  第１の処置具挿入口
１２  第２の処置具挿通チャンネル
１２ａ  第２の処置具突出口
１２ｂ  第２の処置具挿入口
１０１，１０２  処置具
【図１】
0003912726.tif 000002
【図２】
0003912726.tif 000003
【図３】
0003912726.tif 000004
【図４】
0003912726.tif 000005
【図５】
0003912726.tif 000006
【図６】
0003912726.tif 000007